【事件の表示】
　平成　３年特許願第１０６１７９号「携帯無線装置」拒絶査定に対する審判事件［平成　４年１１月２４日出願公開、特開平　４−３３５７４２］について、次のとおり審決する。
【結　論】
　本件審判の請求は、成り立たない。
【理　由】
１．手続の経緯
　本願は、平成３年５月１３日に出願されたものである。また、平成１１年９月１３日付け及び平成１１年１２月１３日付けでそれぞれ手続補正書が提出されたが、上記各手続補正書による補正は何れも平成１３年２月１日付けで却下され、上記各補正はないものとなった。それゆえ、本願の請求項１に係る発明は、願書に最初に添付した明細書及び図面の記載からみて、その特許請求の範囲の請求項１に記載されたとおりの次の事項により特定されるものと認める。
　
「【請求項１】　アンテナと、無線部と、スピードダイアル用記憶部を含む制御部と、表示部と、キーパッド操作部とを備えた携帯無線装置であって、前記制御部に、スタート／ストップ手段とこのスタート／ストップ手段のスタート指示により前記スピードダイアル用記憶部内のメッセージ（会社名、名前）付き電話番号を順次読み上げ、スタート／ストップ手段のストップ指示により前記読み上げを中止する音声合成手段とを接続して設け、前記制御部は前記スタート／ストップ手段のストップ指示時の直前に読み上げられた電話番号を自動的にダイアルするように構成したことを特徴とする携帯無線装置。」
　
２．刊行物に記載された発明
　原査定の拒絶の理由において引用された特開平２−１９４７５９号公報（以下、「刊行物１」という。）には、第１図乃至第２図とともに次の（１）〜（４）の事項が記載されている。
　
（１）「　（１）　電話機能部と、表示部と、音声合成部および音声合成データメモリ部と、複数の自動ダイヤル番号を格納した番号メモリ部と、上記各部を操作するための操作スイッチ部を備えた電話機において、
　複数の自動ダイヤル番号それぞれに対応した人名・会社など相手先名の音声合成データを記憶し、電話機使用時に自動ダイヤル番号に対応した相手先名の音声合成データを順次音声合成出力せしめ、所望の音声合成データが出力された時に操作スイッチ部の特定のスイッチを操作することにより、該スイッチ操作時の音声合成データに対応する自動ダイヤル番号をダイヤル送出することを特徴とした音声認識ダイヤル電話機。」（特許請求の範囲第１項）、
　
（２）「　第１図に本発明の電話機の第１の実施例（請求項１に対応）を示す。
　本装置は、電話機能部（１）と本装置を操作するための操作スイッチ部（２）と、複数の自動ダイヤル番号を格納した番号メモリ部（３）と、本装置の動作状態や操作指示及び自動ダイヤル番号それぞれに対応した相手先名などの各種情報を出力する表示部（４）と音声合成部（５）、およびこれら各部を制御する制御部（６）で構成されている。」（第２頁右下欄第１２行〜第３頁左上欄第１行）、
　
（３）「　自動ダイヤル操作を以下に示す。
　まず、図示していないが操作スイッチ部（２）にある装置ＯＮスイッチを入れると、表示部（４）部と音声合成部（５）より操作開始のメッセージが出力される。次に、音声合成データメモリ部（３）中の音声合成データのうち自動ダイヤル番号それぞれに対応した人名・会社など相手先名の音声合成データをもとに音声合成部（５）で音声合成し、スピーカ（５２）より出力する。このようにして相手先名を順次音声合成出力する。
　操作者は、この音声合成出力を聞いて、所望の音声合成データが出力された時に操作スイッチ部（２）にある送出スイッチ（２１）を押すことにより、該スイッチが押されたときの音声合成データに対応する自動ダイヤル番号を番号メモリ部（３）より制御部（６）経由で電話機能部（１）へ伝え、電話機能部（１）よりダイヤル送出する。」（第３頁左上欄第２〜１９行、なお、この記載における「音声合成データメモリ部（３）」は誤記であって、「音声合成データメモリ部（５１）」が正しいものと認められる）、
　
（４）「　上記のように、簡単な操作で実用的な自動ダイヤル機能が実現できるため運転が伴う自動車電話機には、特に効果的である。」（第４頁左上欄第１５〜１７行）。
　
　これらの記載からみて、刊行物１には、
「　複数の自動ダイヤル番号を格納した番号メモリ部と複数の自動ダイヤル番号それぞれに対応した人名・会社名など相手先名の音声合成データを記憶した音声合成データメモリ部と、制御部と、表示部と、操作スイッチ部とを備えた自動車電話機であって、前記制御部に、装置ＯＮスイッチと送出スイッチとこの装置ＯＮスイッチを入れることより前記音声合成データメモリ部内の人名・会社名など相手先名を順次音声合成出力し、送出スイッチを押すことにより前記音声合成出力を中止する音声合成部とを接続して設け、前記制御部は送出スイッチが押された時の音声合成データに対応する自動ダイヤル番号を自動的にダイアルするように構成した無線装置。」（以下、「刊行物１に記載された発明」という。）
　
　また、原査定の拒絶の理由において引用された特開平１−３１４０５４号公報（以下、「刊行物２」という。）には、第１図乃至第３図とともに次の（５）の事項が記載されている。
　
（５）「このスイッチ３１は、通話中にＯＮされると終話キーが操作された状態となり、着呼があった場合にＯＮされると着呼応答キーが操作された状態となり、これらの状態以外にＯＮされると発呼キーが操作された状態となる。」（第２頁右下欄第３〜７行）。
　
　この記載からみて、刊行物２には、
「終話キー、着呼応答キー、発呼キーを１つのスイッチ３１で兼用すること。」
が記載されているものと認められる。
　
３．対比・判断
　本願の請求項１に係る発明と刊行物１に記載された発明とを対比すると、
（１）　本願の請求項１に係る発明における「スピードダイアル用記憶部」内には「メッセージ（会社名、名前）付き電話番号」があり、
　本願の請求項１に係る発明における「スピードダイアル用記憶部」と刊行物１に記載された発明における「複数の自動ダイヤル番号を格納した番号メモリ部と複数の自動ダイヤル番号それぞれに対応した人名・会社名など相手先名の音声合成データを記憶した音声合成データメモリ部」とは、「スピードダイアル用記憶部」である点において一致し、
　
（２）　本願の請求項１に係る発明における「キーパッド操作部」と刊行物１に記載された発明における「操作スイッチ部」とは、「操作部」である点において一致し、
　
（３）　本願の請求項１に係る発明における「携帯無線装置」と刊行物１に記載された発明における「自動車電話機」とは、「無線装置」である点において一致し、
　
（４）　本願の請求項１に係る発明における「スタート／ストップ手段」と刊行物１に記載された発明における「装置ＯＮスイッチ」とは「スタート手段」である点において一致し、また、本願の請求項１に係る発明における「スタート／ストップ手段」と刊行物１に記載された発明における「送出スイッチ」とは「ストップ手段」である点において一致し、
　
（５）　本願の請求項１に係る発明における「メッセージ（会社名、名前）」、「音声合成手段」と刊行物１に記載された発明における「人名・会社名など相手先名」、「音声合成部」とは、それぞれ、一致し、
　
（６）　本願の請求項１に係る発明における「前記制御部に、スタート／ストップ手段とこのスタート／ストップ手段のスタート指示により前記スピードダイアル用記憶部内のメッセージ（会社名、名前）付き電話番号を順次読み上げ、スタート／ストップ手段のストップ指示により前記読み上げを中止する音声合成手段とを接続して設け、前記制御部は前記スタート／ストップ手段のストップ指示時の直前に読み上げられた電話番号を自動的にダイアルする」と
　刊行物１に記載された発明における「前記制御部に、装置ＯＮスイッチと送出スイッチとこの装置ＯＮスイッチを入れることにより前記音声合成データメモリ部内の人名・会社名など相手先名を順次音声合成出力し、送出スイッチを押すことにより前記音声合成出力を中止する音声合成部とを接続して設け、前記制御部は前記送出スイッチが押された時の音声合成データに対応する自動ダイヤル番号を自動的にダイアルする」とは、
　「前記制御部に、スタート手段とストップ手段とこのスタート手段のスタート指示により前記スピードダイアル用記憶部内のメッセージ（会社名、名前）を順次読み上げ、ストップ手段のストップ指示により前記読み上げを中止する音声合成手段とを接続して設け、前記制御部は前記ストップ手段のストップ指示により電話番号を自動的にダイアルする」である点において一致する。
　
　したがって、両者は、
「　スピードダイアル用記憶部と、制御部と、表示部と、操作部とを備えた無線装置であって、前記制御部に、スタート手段とストップ手段とこのスタート手段のスタート指示により前記スピードダイアル用記憶部内のメッセージ（会社名、名前）を順次読み上げ、ストップ手段のストップ指示により前記読み上げを中止する音声合成手段とを接続して設け、前記制御部は前記ストップ手段のストップ指示により電話番号を自動的にダイアルするように構成した無線装置。」
である点において一致し、以下の点において相違する。
　
相違点ａ
　本願の請求項１に係る発明は、「アンテナ」と「無線部」とを備えたのに対し、刊行物１に記載された発明では、「アンテナ」と「無線部」とを備えたとは明示されていない点。
　
相違点ｂ
　「スピードダイアル用記憶部」及び「制御部」に関し、本願の請求項１に係る発明では、「制御部」は「スピードダイアル用記憶部」を含むものであり、「スピードダイアル用記憶部」内には「メッセージ（会社名、名前）付き電話番号」があるのに対し、刊行物１に記載された発明では、「制御部」は「スピードダイアル記憶部」を含むものではなく、また、「スピードダイアル用記憶部」が「複数の自動ダイヤル番号を格納した番号メモリ部」と「複数の自動ダイヤル番号それぞれに対応した人名・会社名など相手先名の音声合成データを記憶した音声合成データメモリ部」の２つのメモリ部からなる点。
　
相違点ｃ
　「操作部」に関し、本願の請求項１に係る発明では、「操作部」が「キーパッド操作部」であるのに対し、刊行物１に記載された発明では、「操作部」が「操作スイッチ部」である点。
　
相違点ｄ
　「無線装置」に関し、本願の請求項１に係る発明では、「無線装置」が「携帯無線装置」であるのに対し、刊行物１に記載された発明では、「無線装置」が「自動車電話機」である点。
　
相違点ｅ
　「スタート手段」及び「ストップ手段」に関し、本願の請求項１に係る発明では、「スタート手段」及び「ストップ手段」は、「スタート／ストップ手段」という１つの手段からなるのに対し、刊行物１に記載された発明では、「スタート手段」及び「ストップ手段」は、「装置ＯＮスイッチ」と「送出スイッチ」の２つの手段からなる点。
　
相違点ｆ
　スタート指示により読み上げるものに関し、本願の請求項１に係る発明では、スタート指示により読み上げるものが「メッセージ（会社名、名前）付き電話番号」であるのに対し、刊行物１に記載された発明では、スタート指示により読み上げるものが「メッセージ（会社名、名前）」であって、「電話番号」を読み上げるとは記載されていない点。
　
相違点ｇ
　自動的にダイアルする電話番号に関し、本願の請求項１に係る発明では、ストップ指示により自動的にダイアルする電話番号が「ストップ指示時の直前に読み上げられた電話番号」であるのに対し、刊行物１に記載された発明では、自動的にダイアルする電話番号が「前記送出スイッチが押された時の音声合成データに対応する自動ダイヤル番号」である点
　
　そこで、上記相違点について検討する。
相違点ａについて
　無線装置に「アンテナ」と「無線部」とを備えるようにすることは当然の事項にすぎない。
　
相違点ｂについて
　刊行物１に記載された発明において、「複数の自動ダイヤル番号を格納した番号メモリ部」と「複数の自動ダイヤル番号それぞれに対応した人名・会社名など相手先名の音声合成データを記憶した音声合成データメモリ部」とを１つにまとめて「スピードダイアル用記憶部」と称し、「スピードダイアル用記憶部」を「制御部」に含めることは、当業者が適宜なし得たものにすぎない。
　
相違点ｃについて
　「キーパッド操作部」は「操作部」の一種として周知のものにすぎず、刊行物１に記載された発明において、「操作部」として「キーパッド操作部」を採用したことは当業者が適宜なし得たものにすぎない。
　
相違点ｄについて
　「無線装置」の一種として、例えば「携帯電話機」のような「携帯無線装置」は周知のものにすぎず、刊行物１に記載された発明において、「無線装置」を「携帯無線装置」としたことは、当業者が適宜なし得たものにすぎない。
　
相違点ｅについて
　例えば、刊行物２に、「終話キー、着呼応答キー、発呼キーを１つのスイッチ３１で兼用すること。」が記載されているように、複数の操作手段を１つの操作手段で兼用することは周知であり、刊行物１に記載された発明において、「スタート手段」及び「ストップ手段」を１つの手段で兼用し、「スタート／ストップ手段」という１つの手段としたことは当業者が適宜なし得たものにすぎない。
　
相違点ｆについて
　記憶手段に名称と電話番号を対応づけて記憶しておき、記憶された中からダイヤルすべき相手を選択してダイヤルする際、名称と電話番号の両方を表示し、その表示に基づいてダイヤルすべき相手を選択することは周知であるから、刊行物１に記載された発明において、電話番号も読み上げるするようにしたことは当業者が適宜なし得たものにすぎない。
　
相違点ｇについて
　刊行物１に記載された発明では、その操作者は、読み上げられたメッセージにより電話をかけたい相手が読み上げられたことを確認してからストップ指示を行うと考えられるので、自動的にダイヤルする電話番号をストップ指示時の直前に読み上げられた相手の電話番号とするのは当然であるから、自動的にダイヤルする電話番号をストップ指示時の直前に読み上げられた電話番号としたことは当業者が容易になし得たものである。
　
４．むすび
　したがって、本願の請求項１に係る発明は、刊行物１〜２に記載された発明に基いて当業者が容易に発明をすることができたものであるので、特許法第２９条第２項の規定により特許を受けることができない。
　よって、結論のとおり審決する。